(57)【特許請求の範囲】
【請求項１】
濁水や油の拡散を防止するフェンスに設けられ、フェンスの内外で船舶の通航を許容するための通船ゲートであって、
前記フェンスは、フロートと、該フロートの下部に吊り下げられた状態に取り付けられるフェンス本体とを備え、
前記フロートの一部に、他の部分よりも一段低い通船部を設けるとともに、該通船部の一部に該通船部よりも高い通船補助部を設け、該通船補助部を介して前記通船部を前記船舶の重量で押し下げることにより、前記通船補助部の上部を前記船舶が通航可能に構成したことを特徴とする通船ゲート。
【請求項２】
前記通船補助部は、上部が、前記フェンスの内側から前記フェンスの中心に向かって順次高くなり、前記フェンスの中心から前記フェンスの外側に向かって順次低くなる傾斜面に形成され、該傾斜面の上部を前記船舶が通航可能に構成されていることを特徴とする請求項１に記載の通船ゲート。
【請求項３】
前記通船補助部は、上部が、前記フェンスの内側から前記フェンスの中心に向かって順次高くなり、前記フェンスの中心から前記フェンスの外側に向かって順次低くなる傾斜面に形成される、前記フェンスの幅方向に間隔おいて設けられる一対の支持部材を備え、
前記両支持部材の傾斜面の上部を、前記船舶の底部が通航可能に構成されていることを特徴とする請求項２に記載の通船ゲート。
【請求項４】
前記通船部には、標識灯が設けられていることを特徴とする請求項１〜３の何れか１項に記載の通船ゲート。
【請求項５】
前記フェンスは、フロートと、該フロートの下部に吊り下げられた状態に取り付けられるフェンス本体と、該フェンス本体の下部に取り付けられる錘とからなる複数のフェンスユニットを連結してなり、一部の隣接する複数のフェンスユニット間に、前記フェンスユニットよりも小径のフロートと、該フロートの下部に吊り下げられた状態に取り付けられるフェンス本体と、該フェンス本体の下部に取り付けられる錘とからなるゲートユニットが設けられ、該ゲートユニットのフロートの上部で前記通船部が構成されていることを特徴とする請求項１〜４の何れか１項に記載の通船ゲート。
【発明の詳細な説明】
【技術分野】
【０００１】
本発明は、通船ゲートに関し、特に、シルトフェンスやオイルフェンス等のフェンスに使用され、フェンスによって区切られた区域の内外で船舶を通航させるための通船ゲートに関する。
【背景技術】
【０００２】
従来、港湾、河川等の工事においては、工事現場を囲むようにシルトフェンスを設置して、シルトフェンスの内側に周囲から区切られた区域を形成し、この区域内に工事によって発生する濁水を滞留させて沈降させることにより、濁水が周囲に拡散するのを防止している。
【０００３】
また、油保管施設やタンカー等の事故によって油が流出した場合には、油の流出現場を囲むようにオイルフェンスを設置して、オイルフェンスの内側に周囲から区切られた区域を形成し、この区域内に流出した油を滞留させることにより、流出した油が周囲に拡散するのを防止している。
【０００４】
上記のような構成のシルトフェンスやオイルフェンス（以下、フェンスという。）は、濁水の発生時や油の流出時等の突発的な事象の際に使用されるため、港湾や河川等に臨時的に仮設されることが多く、フェンスの内外で船舶を通航させるための通船ゲートは設けないのが一般的である。
【０００５】
このため、フェンスの内外の巡視等を行う必要がある場合には、フェンスの内と外にそれぞれ船舶を準備しておくか、或いは、特許文献１〜３に記載のような技術を利用して、船舶の通航時にフェンスの一部を開閉させる必要がある。
【０００６】
しかし、フェンスの内外にそれぞれ船舶を準備しておく方法は、二艘の船舶が必要になるために設備費が高く付く。
【０００７】
また、特許文献１に記載の技術は、網場の一部に設けたネットを昇降させることにより、網場の一部を開閉させるように構成したものであるが、ネットを昇降させるためのガイドレール、スライドリング、ガイドロープ等の設備が必要になるため、全体の構造が複雑になり、設備費が高く付く。
【０００８】
さらに、特許文献２に記載の技術は、網場の一部に設けた網を昇降させることにより、網場の一部を開閉させるように構成したものであるが、網を昇降させる浮子、浮子内に空気を供給するコンプレッサー、その付帯設備等が必要なるため、全体の構造が複雑になり、設備費が高く付く。
【０００９】
さらに、特許文献３に記載の技術は、フェンス、流木止め等の一部に、浮沈式のフロートにスカート部を吊設したものを設置して、フロートを浮沈させることにより、フェンスや流木止め等の一部を開閉させるように構成したものであるが、フロートを浮沈させるためのコンプレッサー、その付帯設備等が必要になるため、全体の構造が複雑になり、設備費が高く付く。
【先行技術文献】
【特許文献】
【００１０】
【特許文献１】特開２００３−１８４０５７号公報
【特許文献２】特開２００７−３９９５０号公報
【特許文献３】特開２０１０−９５８５１号公報
【発明の概要】
【発明が解決しようとする課題】
【００１１】
本発明は、上記のような従来の問題に鑑みなされたものであって、構造が簡単で設備費を安く抑えることができる通船ゲートを提供することを目的とする。
【課題を解決するための手段】
【００１４】
上記のような課題を解決するために、本発明は、以下のような手段を採用している。
すなわち、本発明は、濁水や油の拡散を防止するフェンスに設けられ、フェンスの内外で船舶の通航を許容するための通船ゲートであって、前記フェンスは、フロートと、該フロートの下部に吊り下げられた状態に取り付けられるフェンス本体とを備え、前記フロートの一部に、他の部分よりも一段低い通船部を設けるとともに、該通船部の一部に該通船部よりも高い通船補助部を設け、該通船補助部を介して前記通船部を前記船舶の重量で押し下げることにより、前記通船補助部の上部を前記船舶が通航可能に構成したことを特徴とする。
【００１５】
本発明の通船ゲートによれば、船舶の重量で通船補助部を介して通船部を押し下げることにより、船舶が通船補助部の上部を通航することができる。この場合、フロートの一部を一段低くした通船部の一部に、通船部よりも高い通船補助部を設けた簡単な構成のものであるので、設備費を安く抑えることができる。また、船外機付きの船舶の場合には、船外機を上げることなく、通船補助部の上部を船舶が通航することが可能となる。
【００１６】
さらに、本発明において、前記通船補助部は、上部が、前記フェンスの内側から前記フェンスの中心に向かって順次高くなり、前記フェンスの中心から前記フェンスの外側に向かって順次低くなる傾斜面に形成され、該傾斜面の上部を前記船舶が通航可能に構成されていることとしてもよい。
【００１７】
本発明の通船ゲートによれば、通船補助部は、上部が、フェンスの内側からフェンスの中心に向かって順次高くなり、フェンスの中心からフェンスの外側に向かって順次低くなる傾斜面に形成されているので、この傾斜面の上部を船舶が通航することにより、船外機を上げることなく、船舶が通船部を通航することが可能となる。
【００１８】
さらに、本発明において、前記通船補助部は、上部が、前記フェンスの内側から前記フェンスの中心に向かって順次高くなり、前記フェンスの中心から前記フェンスの外側に向かって順次低くなる傾斜面に形成される、前記フェンスの幅方向に間隔をおいて設けられる一対の支持部材を備え、前記両支持部材の傾斜面の上部を、前記船舶の底部が通航可能に構成されていることとしてもよい。
【００１９】
本発明の通船ゲートによれば、通船補助部の傾斜面の上部を船舶が通航する際に、船外機が支持部材間を通過することになるので、船外機を上げることなく、船舶が通船部を通航することが可能となる。
【００２０】
さらに、本発明において、前記通船部には、標識灯が設けられていることとしてもよい。
【００２１】
本発明の通船ゲートによれば、標識灯によって通船部の位置を確認することができるので、夜間等であっても、通船部を船舶が安全に通航することが可能となる。
【００２２】
さらに、本発明において、前記フェンスは、フロートと、該フロートの下部に吊り下げられた状態に取り付けられるフェンス本体と、該フェンス本体の下部に取り付けられる錘とからなる複数のフェンスユニットを連結してなり、一部の隣接する複数のフェンスユニット間に、前記フェンスユニットよりも小径のフロートと、該フロートの下部に吊り下げられた状態に取り付けられるフェンス本体と、該フェンス本体の下部に取り付けられる錘とからなるゲートユニットが設けられ、該ゲートユニットのフロートの上部で前記通船部が構成されていることとしてもよい。
【００２３】
本発明の通船ゲートによれば、隣接するフェンスユニット間にゲートユニットを設けることにより、通船ゲートを容易に設置することができる。また、通船ゲートは、フロートの下部にフェンス本体を吊り下げられた状態に取り付け、フェンス本体の下部に錘を取り付けた簡単な構成のものであるので、設備費を安く抑えることができる。
【発明の効果】
【００２４】
以上、説明したように、本発明の通船ゲートによれば、フロートの一部を他の部分よりも一段低くした簡単な構成のものであるので、設備費を安く抑えることができる。
【図面の簡単な説明】
【００２５】
【図１】本発明による一実施の形態の通船ゲートの設置状態を示した説明図である。
【図２】図１の通船ゲートの平面図である。
【図３】図２の通船ゲートの正面図である。
【図４】図３のＡ−Ａ線断面図である。
【図５】図３のＢ−Ｂ線断面図である。
【図６】通船ゲートの変形例を示した平面図である。
【図７】図６の正面図である。
【図８】図７のＣ−Ｃ線断面図である。
【図９】図７のＤ−Ｄ線断面図である。
【図１０】通船ゲートの変形例を示した平面図である。
【図１１】図１０の正面図である。
【図１２】図１１のＥ−Ｅ線断面図である。
【図１３】通船補助部を船舶が通航する手順を示した説明図である。
【発明を実施するための形態】
【００２６】
以下、図面を参照しながら本発明の実施の形態について説明する。
図１〜図５には、本発明による通船ゲートの一実施の形態が示されている。本実施の形態の通船ゲート１１は、例えば、港湾、河川等の工事において、工事現場を囲むように設置されるシルトフェンス、油保管施設やタンカー等の事故によって油が流出した場合に、油の流出現場を囲むように設置されるオイルフェンス等に適用されるものであって、シルトフェンスやオイルフェンスによって周囲から区切られた区域の内外で船舶を通航させるのに有効なものである。
なお、本実施の形態においては、本発明の通船ゲート１１を、図１に示すように、河川３０の工事によって発生した濁水が周囲に拡散するのを防止するために使用されるシルトフェンス１に適用している。
【００２７】
本実施の形態の通船ゲート１１は、図１に示すように、河川３０の一部に全幅に亘るように設置され、河川３０の一部を上流側３１と下流側３２とに区切るシルトフェンス１の一部に設けられ、シルトフェンス１によって区切られた河川３０の上流側３１と下流側３２との間で船舶３５の通航を可能にするのに使用される。
【００２８】
シルトフェンス１は、図２〜図５に示すように、例えば、フロート３と、フロート３の下部に吊り下げられた状態に取り付けられるシート状のフェンス６と、フェンス６の下部に取り付けられる錘１０とから構成される複数のフェンスユニット２を備え、これらの複数のフェンスユニット２を横方向に一列に並べて、隣接するフェンスユニット２、２間を連結ロープ（図示せず）によって互いに連結することにより、河川３０の全幅に亘る長さに形成したものであって、このシルトフェンス１の一部の隣接するフェンスユニット２、２間に本実施の形態の通船ゲート１１が設けられる。
【００２９】
フロート３は、発泡樹脂（例えば、発泡スチロール）から形成される円柱状又は円筒状のフロート本体４と、フロート本体４の周囲を覆う合成樹脂製（例えば、ポリ塩化ビニル製）のシート状のカバー５とから構成されている。本実施の形態においては、フロート３の外径を３００ｍｍ、長さを５．０ｍに設定している。
【００３０】
フェンス６は、合成樹脂製（例えば、ポリエステル製）のシート状のフェンス本体７と、フェンス本体７の表裏面に縦横に設けられる合成樹脂製（例えば、ポリエステル製）の補強帯８から構成されている。
【００３１】
フェンス６は、上端をロープ等によってフロート本体４に連結することにより、フロート３の下部に吊り下げられた状態に取り付けられている。
【００３２】
フェンス本体７の幅方向の両端には、複数の金属製の接続金具９（例えば、ハトメ等）が設けられ、隣接するフェンスユニット２、２のフェンス本体７、７の接続金具９、９間を連結ロープによって締結することにより、隣接するフェンスユニット２、２のフェンス本体７、７間を連結することができる。
【００３３】
錘１０は、例えば、金属製のチェーンであって、フェンス本体７の下端部の一部、又は下端部の全体に亘って（本実施の形態では下端部の両端部のみ）取り付けられている。
【００３４】
通船ゲート１１は、図２〜図５に示すように、フェンスユニット２のフロート３よりも小径のフロート１３と、フロート１３の下部に吊り下げられた状態に取り付けられる、フェンスユニット２のフェンス６と同一構成のフェンス１７と、フェンス１７の下部に取り付けられる、フェンスユニット２の錘１０と同一構成の錘２１とから構成されるゲートユニット１２を備えている。
【００３５】
フロート１３は、フェンスユニット２のフロート本体４と同一材質で、フェンスユニット２のフロート本体４よりも小径のフロート本体１４と、フロート本体１４の周囲を覆う、フェンスユニット２のカバー５と同一材質からなるカバー１５と、カバー１５の上部に設けられる合成ゴム製の保護シート１６とから構成されている。
【００３６】
フロート１３の外径、長さは、通航させる船舶３５の大きさに応じて設定され、本実施本実施の形態においては、フロート１３の外径を１５０ｍｍ、長さ５．０ｍに設定している。
【００３７】
ゲートユニット１２は、隣接するフェンスユニット２、２間に配置し、ゲートユニット１２のフェンス本体１８の両端の接続金具２０とフェンスユニット２のフェンス本体７の接続金具９との間を連結ロープで連結することにより、隣接するフェンスユニット２、２間に取り付けられる。
【００３８】
ゲートユニット１２を隣接するフェンスユニット２、２間に連結することにより、ゲートユニット１２のフロート１３の上部にフェンスユニット２のフロート３よりも一段低い通船部２２が形成され、この通船部２２を介して、シルトフェンス１を挟んで河川３０の上流側３１と下流側３２との間で船舶３５を通航させることができる。
【００３９】
なお、通船ゲート１１の通船部２２を船舶３５が通航する際には、通船ゲート１１の手前側（上流側３１又は下流側３２）で船舶３５の船外機を上げて、船外機がフロート１３に接触しない状態とし、この状態で、船舶３５の重量でフロート１３を下方に押し下げながら、船舶３５が通船部２２を河川３０の上流側３１から下流側３１に、又は下流側３２から上流側３１に通航することになる。
【００４０】
図６〜図９に示すように、通船部２２に、標識灯２３を設置し、夜間や視界不良時等に船舶３５が通船部２２を通過する際に、通船部２２の位置を確認しやすくしてもよい。標識灯２３としては、特に制限はなく、例えば、太陽電池式ＬＥＤ標識灯を使用することができる。
【００４１】
また、通船部２２に、図１０〜図１２に示すように、間隔をおいて設けられる一対の支持部材２５、２５と、両支持部材２５、２５の下部間を連結する連結部材２７とからなる通船補助部２４を設け、この通船補助部２４の上部を船舶３５を通航させるように構成してもよい。
この場合、各支持部材２５の上部は、通船ゲート１１の上流側３１からフロート１３の中心に向けて順次高くなり、フロート１３の中心から通船ゲート１１の下流側３２に向けて順次低くなり、かつ、内面側が相手方支持部材２５の方向に順次低くなる傾斜面に形成され、この両支持部材２５、２５の上部を船舶３５が通航可能に構成されている。また、両支持部材２５間の隙間内を船舶３５の船外機が通過可能に構成されている。
【００４２】
このような構成の通船補助部２４を設けることにより、船舶３５が通船部２２を通航する際には、図１３（ａ）〜（ｈ）に示すように、船舶３５の船底が通船補助部２４の両支持部材２５、２５の傾斜面２６の上部を乗り越え、船外機３６が両支持部材２５、２５間の隙間内を通過することになるので、船外機３６を下ろしたままの状態でも、船外機３６が通船部２２のフロート１３に接触することはない。また、船舶３５の船外機３６がフロート１３に接触することがないので、フロート１３の周囲を保護シート１６で覆う必要もない。
【００４３】
上記のように構成した本実施の形態の通船ゲート１１にあっては、フェンスユニット２のフロート３よりも小径のフロート１３と、フロート１３の下部に吊り下げられた状態に取り付けられる、フェンスユニット２のフェンス６と同一構成のフェンス１７と、フェンス１７の下部に取り付けられる、フェンスユニット２の錘１０と同一構成の錘２１とからなるゲートユニット１２を備えた簡単な構造のものであるので、通船ゲート１１の構造を簡素化することができる。
【００４４】
また、上記のような構成のゲートユニット１２を、隣接するフェンスユニット２、２間に連結ロープによって連結することにより、隣接するフェンスユニット２、２間に船舶３５を通行させる通船部２２を形成することができる。
【００４５】
従って、通船ゲート１１の設置に要する費用を大幅に削減することができ、設備費を安く抑えることができる。
【００４６】
また、簡単な構成ものであり、取り付けも簡単であるので、河川３０の一部に臨時的に設置する仮設のシルトフェンス１であっても、河川３０の一部に長期的に設置する本設のシルトフェンス１であっても使用することが可能となる。
【００４７】
さらに、図１０〜図１２に示すように、通船部２２に通船補助部２４を設けた場合には、通船部２２を船舶３５が通航する際に、図１３に示すように、船舶３５の船外機３６を上げる必要がないので、シルトフェンス１を挟んだ河川３０の上流側３１と下流側３２との間を船舶３５が容易に通航することが可能となり、河川３０の上流側３１及び下流側３２の巡視を容易に行うことができる。
【００４８】
さらに、図６〜図９に示すように、通船部２２に標識灯２３を設置した場合には、夜間や視界不良時等に通船部２２を通航する際に、標識灯２３の灯りによって通船部２２の位置を確認しやすくなるので、通船部２２を安全に通航することが可能となる。
【００４９】
なお、前記の説明においては、河川３０の一部を幅方向に横切るように、河川３０の全幅に亘って設けられるシルトフェンス１に適用したが、河川３０の一部を囲むように設けられるシルトフェンス１に適用してもよい。
【００５０】
また、前記の構成においては、シルトフェンス１の１箇所に本発明による通船ゲート１１を設置したが、シルトフェンス１の複数箇所に本発明の通船ゲート１１を設置してもよい。
【００５１】
さらに、前記の説明においては、本発明の通船ゲート１１を河川３０に設置されたシルトフェンス１に適用したが、港湾等に設置されたシルトフェンスや、油保管施設やタンカー等の事故によって流出した油の拡散を防止するオイルフェンスや、ダム貯水池等において、流木等の流出を防止する網場に本発明を適用してもよい。
【符号の説明】
【００５２】
１  シルトフェンス
２  フェンスユニット
３、１３  フロート
４、１４  フロート本体
５、１５  カバー
６、１７  フェンス
７、１８  フェンス本体
８  補強帯
９  接続金具
１０、２１  錘
１１  通船ゲート
１２  通船ゲートユニット
１６  保護シート
１９  補強帯
２０  接続金具
２２  通船部
２３  標識灯
２４  通船補助部
２５  支持部材
２６  傾斜面
２７  連結部材
３０  河川
３１  上流側
３２  下流側
３５  船舶
３６  船外機
【図１】
0005955568.tif 000002
【図２】
0005955568.tif 000003
【図３】
0005955568.tif 000004
【図４】
0005955568.tif 000005
【図５】
0005955568.tif 000006
【図６】
0005955568.tif 000007
【図７】
0005955568.tif 000008
【図８】
0005955568.tif 000009
【図９】
0005955568.tif 000010
【図１０】
0005955568.tif 000011
【図１１】
0005955568.tif 000012
【図１２】
0005955568.tif 000013
【図１３】
0005955568.tif 000014